(57)【要約】【課題】ファンクションモードを有し、かつ定着器に対する電力削減モードを有した画像形成装置で、更なる省エネルギ化を図る。【解決手段】電力削減モードからの復帰時には、電力削減モード移行直前のファンクションモードを維持する設定と、他の初期設定されたファンクションモードに推移する設定とを有していて、復帰後のファンクションモードがコピーモードの場合は、制御部は特定のファンクションモード切替釦を除き、操作部上の釦接触により通常モードに復帰させ、復帰後のファンクションモードがコピーモード以外の場合は、制御部は特定のファンクションモード切替釦を除き、操作部上の釦接触でも電力削減モードを維持するよう制御を行う。【選択図】　　　　図３
2004085690.tif 000002
【特許請求の範囲】
【請求項１】
省エネルギのために定着器の制御温度を低下又は遮断させる電力減少モードを持ち、少なくとも操作部キーへの接触を検知して制御部は電力削減モードを解除した通常モードに復帰させる画像形成装置において、
電力削減モードからの復帰時には、電力削減モード移行直前のファンクションモードを継持する設定と、他の初期設定されたファンクションモードに推移する設定とを有していて、
復帰後のファンクションモードがコピーモードの場合は、制御部は特定のファンクションモード切替釦を除き、操作部上の釦接触により通常モードに復帰させ、復帰後のファンクションモードがコピーモード以外の場合は、制御部は特定のファンクションモード切替釦を除き、操作部上の釦接触でも電力削減モードを維持することを特徴とする画像形成装置。
【請求項２】
復帰後のファンクションモードがコピーモードの場合で、通常モードに復帰させない特定のファンクションモード切替釦はＦＡＸモード、スキャナモードの少なくとも何れか１つであることを特徴とする請求項１に記載の画像形成装置。
【請求項３】
復帰後のファンクションモードがコピーモード以外の場合で、電力削減モードを維持するファンクション切替釦にはコピーモード切替釦を含まないことを特徴とする請求項１に記載の画像形成装置。
【請求項４】
復帰後電力削減モードを維持するモードが選択されている場合でも、コピーモード切替釦が押された場合には定着器の温度制御を通常モードに復帰させることを特徴とする請求項１〜３の何れか１項に記載の画像形成装置。
【請求項５】
省エネルギのために定着器の制御温度を低下又は遮断させる電力削減モードを持ち、少なくとも操作部キーへの接触を検知して制御部は電力削減モードを解除した通常モードに復帰させる画像形成装置において、
電力削減モードからの復帰時には、電力削減モード移行直前のファンクションモードを維持する設定と、他の初期設定されたファンクションモードに推移する設定とを有していて、
電力削減モードからの復帰時に、制御部はファンクションモード切替釦が押された場合は各選択されたファンクションモードへ移行し、ファンクションモード切替釦以外の釦が押された場合は先に設定されたモードへ移行することを特徴とする画像形成装置。
【発明の詳細な説明】
【０００１】
【発明の属する技術分野】
本発明は複写機等の画像形成装置に係わり、特に省エネルギのために電力を削減する電力削減モードを有した画像形成装置に関する。
【０００２】
【従来の技術】
複写機等の画像形成装置では省エネルギのために電力を削減する電力削減モードを有したものが多い、電力削減モードは省エネモードとも呼ばれ、例えば所定時間以上画像形成が行われなかったとき、通常のコピー可能の状態即ち通常モードから電力削減を図った省エネモードへ移行する。省エネモードでは最もエネルギを多く消費する定着器に対して電力供給を遮断したり、或いは通電量を減らして定着器の制御温度を定着温度よりも低温に制御することによって行われている。
【０００３】
多機能の画像形成装置では、原稿の読み取りを行って記録紙上にコピーを行うプリント動作以外に、原稿の読み取りを行ってこれを電送するＦＡＸ動作や、原稿を読み取って読み取った原稿情報をメモリに記憶するスキャナ動作等が行われている。かかる動作を可能とする画像形成装置では、操作部にＦＡＸモード、スキャナモード、コピーモード等のファンクションモードについてモードの切り替えを可能とするファンクションモード切替釦を設けていて、当該モード切替釦を押釦することによって夫々のモードへの切り替えがなされる。
【０００４】
【発明が解決しようとする課題】
▲１▼　従来は省エネモードに移行した状態では、ユーザが操作部キーを押釦すると無条件に省エネモードは解除されるようになっていて、ユーザがＦＡＸモード切替釦、スキャナモード切替釦を押釦した際にも定着器の定着制御温度は通常の定着可能とする制御温度に移行してしまい、定着がなされないにも拘わらず余計なエネルギの消費がなされていた。本発明は省エネモード状態からプリント動作を使用しないファンクションモードに移行する場合には、省エネモードが維持されるように制御されて省エネ効果を奏する画像形成装置を提供することを第１の目的とする。
【０００５】
▲２▼　操作部にファンクションモード切替釦が設けられた画像形成装置で、本発明は省エネモード状態から復帰時に、ユーザが操作部キーを押釦した際、最も適切なモード状態となるような制御がなされて、作業動作の効率化が図れた画像形成装置を提供することを第２の目的とする。
【０００６】
【課題を解決するための手段】
本発明の第１の目的は、下記構成（１）〜（４）により達成することができる。
【０００７】
（１）　省エネルギのために定着器の制御温度を低下又は遮断させる電力減少モードを持ち、少なくとも操作部キーへの接触を検知して制御部は電力削減モードを解除した通常モードに復帰させる画像形成装置において、電力削減モードからの復帰時には、電力削減モード移行直前のファンクションモードを継持する設定と、他の初期設定されたファンクションモードに推移する設定とを有していて、復帰後のファンクションモードがコピーモードの場合は、制御部は特定のファンクションモード切替釦を除き、操作部上の釦接触により通常モードに復帰させ、復帰後のファンクションモードがコピーモード以外の場合は、制御部は特定のファンクションモード切替釦を除き、操作部上の釦接触でも電力削減モードを維持することを特徴とする画像形成装置。
【０００８】
（２）　復帰後のファンクションモードがコピーモードの場合で、通常モードに復帰させない特定のファンクションモード切替釦はＦＡＸモード、スキャナモードの少なくとも何れか１つであることを特徴とする（１）に記載の画像形成装置。
【０００９】
（３）　復帰後のファンクションモードがコピーモード以外の場合で、電力削減モードを維持するファンクション切替釦にはコピーモード切替釦を含まないことを特徴とする（１）に記載の画像形成装置。
【００１０】
（４）　復帰後電力削減モードを維持するモードが選択されている場合でも、コピーモード切替釦が押された場合には定着器の温度制御を通常モードに復帰させることを特徴とする（１）〜（３）の何れか１項に記載の画像形成装置。
【００１１】
本発明（１）〜（４）は、電力減少モード状態からユーザが次に行うモード動作についてプリント動作をしないモードに移行する場合には、定着制御温度を省エネモード時のままには維持するように制御を行うもので、プリント動作が行われない場合には従来無駄にしていたエネルギの削減を可能にしている。
【００１２】
本発明の第２の目的は、下記の構成（５）により達成することができる。
（５）　省エネルギのために定着器の制御温度を低下又は遮断させる電力削減モードを持ち、少なくとも操作部キーへの接触を検知して制御部は電力削減モードを解除した通常モードに復帰させる画像形成装置において、電力削減モードからの復帰時には、電力削減モード移行直前のファンクションモードを維持する設定と、他の初期設定されたファンクションモードに推移する設定とを有していて、電力削減モードからの復帰時に、制御部はファンクションモード切替釦が押された場合は各選択されたファンクションモードへ移行し、ファンクションモード切替釦以外の釦が押された場合は先に設定されたモードへ移行することを特徴とする画像形成装置。
【００１３】
本発明（５）は、省エネモード状態から復帰時に、ユーザが操作部キーを押釦した際、最も適切なモード状態となるように制御を行うもので、作業動作の効率化が図られることとなる。
【００１４】
【発明の実施の形態】
（１）　本発明の説明に先立って、省エネモードを有した画像形成装置について、図１の断面図を用いて構成とコピー作動について説明する。但し、本発明はこの構成に限定されるものではない。
【００１５】
図１において、１０はプリンタ部、２０は給紙搬送部、３０は反転搬送部、４０は自動原稿搬送装置、５０は原稿読み取り部である。自動原稿搬送装置４０の原稿載置台４１上にセットされた原稿Ｄはプリント時には１枚宛搬出され、原稿搬送ローラ４２によって原稿読み取り位置５１を定速度をもって通過する。原稿Ｄが片面原稿の場合には、原稿読み取り位置５１を通過したのち原稿排紙皿４３上に排出される。また原稿Ｄが両面原稿の場合には、原稿読み取り位置５１を通過したのち原稿反転路４４で反転し、反転した原稿Ｄは原稿搬送ローラ４２によって搬送されて、原稿読み取り位置５１を通過したのち原稿排紙皿４３上に排出される。
【００１６】
原稿読み取り位置５１を定速度をもって通過した原稿Ｄの原稿情報は原稿読み取り部５０に設けたＣＣＤ５２によって読み取られて、一旦メモリに記録される。
【００１７】
また自動原稿搬送装置４０は原稿台ガラス５３上に開閉可能となっていて、冊子等の原稿の場合には自動原稿搬送装置４０を開放し、原稿は原稿台ガラス５３上に載置され、原稿面は反射鏡を有した走査光学系５３によって走査が行われ、ＣＣＤ５２によって読み取られて、一旦メモリに記録される。
【００１８】
プリンタ部１０は駆動回転する感光体ドラム１１の周線部に帯電器１２、像露光器１３、現像器１４が配設されていて、帯電器１２によって一様帯電した感光体表面はメモリに記録された原稿Ｄの画像情報によって像露光器１３の像露光が行われ、感光体表面には潜像が形成される。該潜像は現像器１４によって現像がなされてトナー像となる。
【００１９】
給紙搬送部２０にはサイズを異にした転写紙をそれぞれ収納した複数の給紙トレイ２１が設けられていて、画像形成時には該当する用紙サイズの転写紙を収納した給紙トレイ２１からは、給紙ローラ２２によって１枚宛転写紙Ｐが所定の時間間隔ピッチＴで給紙される。
【００２０】
給紙される転写紙Ｐは、中間ローラ２３Ａ、２３Ｂ、２３Ｃ、２３Ｄによって給紙路に沿っての給送がなされ、レジストローラ２４によって感光体ドラム１１上のトナー像と同期がとられて給紙され、感光体ドラム１１上のトナー像は転写手段１５によって転写紙Ｐ上に転写される。トナー像を保持した転写紙Ｐはヒータ１６Ｈを内蔵した加熱ローラ１６１と、加熱ローラ１６１に対向して押圧する加圧ローラ１６２とより成る定着器１６によって挟持され、加圧・加熱がなされて定着する。
【００２１】
片面プリントが選択されているときは、定着を終えて表面プリントされた転写紙Ｐは直進し、排紙ローラ２５に挟持されて機外の排紙トレイ２６上に排出される。
【００２２】
本実施形態の画像形成装置の、省エネルギのために定着器１６の制御温度を低下または遮断させる省エネモードを有している。即ち定着器１６の加熱ローラ１６１にはローラの表面温度を検知する温度センサ１６Ｓが設けられていて、制御部は温度センサ１６Ｓの検知温度に基づいて加熱ローラ１６１内に設けられたハロゲンランプ等を用いたヒータ１６ＨのＯＮ／ＯＦＦ制御を行い、プリント動作時には通常モードとしてローラ表面温度が例えば１９０℃の定着を可能とする定着温度状態を維持するよう制御される。しかし、通常モードにあっても、操作部に設けた操作キーを押釦することなく動作が行われない状態が所定時間を経過すると、制御部はヒータ１６Ｈへの通電を停止し、或いは温度センサ１６Ｓによる検知温度が定着温度よりは低温の所定温度となるよう温度制御を行い、通常モードから省エネモードへと移動する。
【００２３】
（２）　本実施形態の画像形成装置は、上記説明したコピーモード以外にＦＡＸモード、スキャナモード等のファンクションモードを有している。図２はファンクションモードの切替釦を設けた操作部の操作面を示している。図において、Ｂ１はスタート釦、Ｂ２はテンキー、Ｂ３は紙サイズや倍率等の設定を行うコピー機能選択釦である。また、ファンクションモード切替釦としてコピーモード切替釦Ｂ１１、ＦＡＸモード切替釦Ｂ１２、スキャナモード切替釦Ｂ１３が設けられている。
【００２４】
また、本実施形態の画像形成装置は図３に示す制御ブロック回路を有している。コピーモード切替釦Ｂ１１が押釦されると、制御部Ｃ１はコピーモードプログラムＣ１１を呼び出してコピー動作がなされる態勢となり、スタート釦Ｂ１を押釦することにより、既に説明したコピー動作が行われて記録紙Ｐ上には原稿画像の画像記録がなされ、定着されて排紙トレイ２６上に排出される。
【００２５】
ＦＡＸモード切替釦Ｂ１２が押釦されると、制御部Ｃ１はＦＡＸモードプログラムＣ１２を呼び出してＦＡＸ動作がなされる態勢となり、スタート釦Ｂ１を押釦することにより、ＦＡＸ動作が行われる。即ち原稿載置台４１上にセットされた原稿Ｄは１枚宛搬出され、原稿読み取り位置５１を通過したのち原稿排紙皿４３上に排出される。原稿読み取り位置５１を定速をもって通過する原稿Ｄの原稿情報はＣＣＤ５２によって読み取れて一旦メモリＣＭに記憶されたのち、テンキーＢ２によって入力されたＦＡＸ宛先に対して電話回線を介して原稿情報の電送が行われる。
【００２６】
スキャナモード切替釦Ｂ１３が押釦されると、制御部Ｃ１はスキャナモードプログラムＣ１３を呼び出してスキャナ動作がなされる態勢となり、スタート釦Ｂ１を押釦することによりスキャナ動作が行われる。即ち原稿載置台４１上にセットされた原稿Ｄは１枚宛搬出され、定速をもって移動する原稿Ｄの原稿情報はＣＣＤ５２によって読み取られ、読み取られた原稿情報はメモリＣＭに記録される。メモリＣＭに記録された原稿情報は、必要に応じて呼び出してプリントを行い、或いは又転送を行うことが可能の状態となっている。
【００２７】
（３）　本発明は何れも、省エネルギのために定着器１６の制御温度を低下または遮断させる省エネモードＣＥＣを有していて、少なくともユーザによる操作部キーの接触を検知する制御部Ｃ１は省エネモードを解除した通常モードＣＮＭに復帰させる機能を有していて、次の実施形態で説明する機能制御が行われる。
【００２８】
（実施の形態１）
本実施形態の画像形成装置は、省エネモードＣＥＣからの復帰時には省エネモードＣＥＣに移行する直前のファンクションモードを維持するようにした設定（例えばＦＡＸモードから省エネモードに移行したときはＦＡＸモードとして復帰）と、他の初期設定されたファンクションモードに推移する設定とを有していて、復帰後のファンクションモードがコピーモードの場合は、制御部Ｃ１は操作部上の釦接触がＦＡＸモード切替釦Ｂ１２又はスキャナモード切替釦Ｂ１３の何れかある場合を除き、定着動作を可能とする通常モードＣＮＭに復帰させ、復帰後のファンクションモードがコピーモード以外の場合は、制御部Ｃ１は釦接触がコピーモード切替釦Ｂ１１を除き、操作部上の釦接触でも省エネモードＣＥＣを維持するよう制御を行う。
【００２９】
なお、省エネモードＣＥＣからの復帰時に省エネモードＣＥＣを維持するモードが選択されている場合でも、コピーモード切替釦Ｂ１１が押釦された場合にはコピーモードに移行し、定着器１６の温度制御を通常モードＣＮＭに復帰するように制御が行われる。
【００３０】
（実施の形態２）
本実施形態の画像形成装置は、省エネモードＣＥＣからの復帰時には省エネモードＣＥＣに移行する直前のファンクションモードを維持するようにした設定（例えばスキャナモードから省エネモードに移行したときはスキャナモードとして復帰）と、他の初期設定されたファンクションモードに推移する設定（例えばコピーモードが初期設定されているときはコピーモードとして復帰）とを有していて、省エネモードからの復帰時に、ファンクションモード切替釦（コピーモード切替釦Ｂ１１、ＦＡＸモード切替釦Ｂ１２、スキャナモード切替釦Ｂ１３）の何らかの切替釦が押釦されたときは各選択されたファンクションモードへ移行し、制御部Ｃ１はファンクションモード切替釦以外の釦が押された場合は先に設定されたモード（スキャナモード又はコピーモード）へ移行するよう制御がなされる。
【００３１】
【発明の効果】
請求項１〜４の発明は、省エネモード状態から次に行う動作がプリント動作を行わないモードの場合には定着制御温度を省エネモード時のまま維持するよう制御を行うもので、従来に較べてエネルギ削減の効果が生じることとなる。
【００３２】
請求項５の発明は、省エネモード状態からの復帰時に、ユーザが操作部キーを押釦した際、最も適切なモード状態となるように制御を行うもので、作業動化の合理化と効率化が図れることとなる。
【図面の簡単な説明】
【図１】画像形成装置の断面図を示す。
【図２】操作部の操作面を示す。
【図３】制御ブロック回路を示す。
【符号の説明】
１６　定着器
１６Ｈ　ヒータ
１６Ｓ　温度センサ
Ｂ１１　コピーモード切替釦
Ｂ１２　ＦＡＸモード切替釦
Ｂ１３　スキャナモード切替釦
Ｃ１　制御部
ＣＥＣ　省エネモード
ＣＮＭ　通常モード
【図１】
2004085690.tif 000003
【図２】
2004085690.tif 000004
【図３】
2004085690.tif 000005